(57)【特許請求の範囲】
【請求項１】
ホストコンピュータとの接続条件を設定する初期設定を入力する初期設定入力手段と、前記初期設定入力手段によって入力された前記初期設定を記憶する初期設定記憶手段とを有する通信カラオケ端末装置と、通信回線を通じて該通信カラオケ端末装置と接続される前記ホストコンピュータとを備える通信カラオケシステムにおいて、
前記ホストコンピュータが、前記通信回線を通じて以前接続された前記通信カラオケ端末装置の電話番号を記憶する電話番号記憶手段と、該電話番号記憶手段に記憶された電話番号と前記通信回線を通じて接続された通信カラオケ端末装置の電話番号とを比較する比較手段とを有し、
前記通信カラオケ端末装置が、前記初期設定入力手段によって使用者に前記初期設定の入力を促すインストールモードプログラムを有し、
前記比較手段が前記通信回線を通じて接続された通信カラオケ端末装置の電話番号と前記電話番号記憶手段が記憶する通信カラオケ端末装置の電話番号とが異なると判断したときに、前記ホストコンピュータが前記通信カラオケ端末装置に前記インストールモードプログラムを実行させることを特徴とする通信カラオケシステム。
【請求項２】
請求項１に記載するシステムにおいて、
前記初期設定は、少なくとも前記通信カラオケ端末装置の付加機能設定を含み、
前記インストールモードプログラムは、設定条件に少なくとも前記付加機能設定を使用者に選択させる選択項目を有することを特徴とする通信カラオケシステム。
【請求項３】
請求項２に記載するシステムにおいて、
前記通信カラオケ端末装置は、表示手段に写される画面を制御する画面表示制御装置をさらに備え、
前記画面表示制御装置に前記選択項目を表示することを特徴とする通信カラオケシステム。
【請求項４】
ホストコンピュータとの接続条件を設定する初期設定を入力する初期設定入力手段と、前記初期設定入力手段によって入力された前記初期設定を記憶する初期設定記憶手段とを有する通信カラオケ端末装置と、通信回線を通じて該通信カラオケ端末装置と接続される前記ホストコンピュータとを備える通信カラオケシステムにおいて、
前記ホストコンピュータが、前記通信カラオケ端末装置がアクセスした時に、前記通信カラオケ装置の電話番号を読み取る電話番号読取手段と、前記電話番号読取手段が読み取った電話番号を前記通信カラオケ端末装置に送信する電話番号送信手段とを有し、
前記通信カラオケ端末装置が、前記ホストコンピュータに前記通信回線を通じて以前接続されたときの電話番号を記憶する電話番号記憶手段と、前記電話番号記憶手段が記憶する電話番号と前記ホストコンピュータの前記電話番号送信手段により送信された電話番号とを比較する比較手段と、前記初期設定入力手段によって使用者に前記初期設定の入力を促すインストールモードプログラムとを有し、
前記比較手段が、前記通信カラオケ端末装置の前記電話番号記憶手段が記憶する電話番号と、前記ホストコンピュータの前記電話番号送信手段により送信された電話番号とが異なると判断した時に、前記通信カラオケ端末装置が、前記インストールモードプログラムを実行することを特徴とする通信カラオケシステム。
【請求項５】
ホストコンピュータとの接続条件を設定する初期設定を入力する初期設定入力手段と、前記初期設定入力手段によって入力された前記初期設定を記憶する初期設定記憶手段と、通信回線を通じて前記ホストコンピュータと接続される送受信手段とを備える通信カラオケ端末装置において、
前記ホストコンピュータに前記通信回線を通じて以前接続されたときの電話番号を記憶する電話番号記憶手段と、
前記通信カラオケ端末装置が前記通信回線を通じて前記ホストコンピュータにアクセスした時に、前記ホストコンピュータが、前記通信カラオケ装置の電話番号を読み取り、その読み取った電話番号を前記通信回線を通じて該通信カラオケ端末装置に送り返した時に、その電話番号を受信して記憶する受信記憶手段と、
前記電話番号記憶手段が記憶する電話番号と、前記受信記憶手段が受信した電話番号とを比較する比較手段と、
前記初期設定入力手段によって使用者に前記初期設定の入力を促すインストールモードプログラムと、を有し、
前記比較手段が、前記電話番号記憶手段が記憶する電話番号と、前記受信記憶手段が受信した電話番号とが異なると判断した時に、前記インストールモードプログラムを実行することを特徴とする通信カラオケ端末装置。
【発明の詳細な説明】
【０００１】
【発明の属する技術分野】
本発明は、通信カラオケ端末装置がビデオテックス通信回線を通じて、ホストコンピュータと相互通信可能な通信カラオケシステムに関するものである。
【０００２】
【従来の技術】
従来、通信カラオケ端末装置を初めて稼働させる場合に、初期設定と呼ばれる操作を必要とする。初期設定とは、センターと呼ばれるホストコンピュータとの接続を行うときに必要とされる通信カラオケ端末装置所有者のＩＤ、該所有者に最も近いアクセスポイントの電話番号、通信カラオケ端末装置の付加機能設定、例えば、ゲームやＣＡＴＶ視聴テレビ放送受信を行うか否かの選択、曲データ通信を自動で行うか否かの選択等である。
この初期設定は、使用者が通信カラオケ端末装置を設置したときに必ず行う必要がある。通常、初期設定入力は、通信カラオケ端末装置に記憶されているインストールモードと呼ばれるプログラムを、使用者が実行させることにより行われる。
【０００３】
【発明が解決しようとする課題】
しかし、従来の通信カラオケシステムでは、通信カラオケ端末装置の所有者、管理者がレンタル方式や売却等で次々変わっていく場合、その都度、新たな所有者が初期設定を行わなければならなかった。もし、新しい所有者が初期設定を忘れてしまった場合、前に初期設定された条件のまま通信カラオケ端末装置が動作し、新しい所有者の意図とは異なった動作をして、新しい所有者に不利益を与えることがあった。
【０００４】
そこで、本発明は、所有者が変更されたときに新しい所有者に対し必ず初期設定を行わせることの可能な通信カラオケシステムを提供することを目的とする。
【０００５】
【課題を解決するための手段】
本発明の通信カラオケシステムは、ホストコンピュータとの接続条件を設定する初期設定を入力する初期設定入力手段と、初期設定入力手段によって入力された初期設定を記憶する初期設定記憶手段とを有する通信カラオケ端末装置と、通信回線を通じて該通信カラオケ端末装置と接続されるホストコンピュータとを備えるシステムであって、ホストコンピュータが、通信回線を通じて以前接続された通信カラオケ端末装置の電話番号を記憶する電話番号記憶手段と、該電話番号記憶手段に記憶された電話番号と通信回線を通じて接続された通信カラオケ端末装置の電話番号とを比較する比較手段とを有し、通信カラオケ端末装置が、初期設定入力手段によって使用者に初期設定の入力を促すインストールモードプログラムを有し、比較手段が通信回線を通じて接続された通信カラオケ端末装置の電話番号と電話番号記憶手段が記憶する通信カラオケ端末装置の電話番号とが異なると判断したときに、ホストコンピュータが通信カラオケ端末装置にインストールモードプログラムを実行させる。
【０００６】
また、上記システムにおいて、初期設定は、少なくとも通信カラオケ端末装置の付加機能設定を含み、インストールモードプログラムは、設定条件に少なくとも付加機能設定を使用者に選択させる選択項目を有することを特徴とする。
また、上記システムにおいて、通信カラオケ端末装置は、表示手段に写される画面を制御する画面表示制御装置をさらに備え、画面表示制御装置に選択項目を表示することを特徴とする。
また、本発明の通信カラオケシステムは、ホストコンピュータとの接続条件を設定する初期設定を入力する初期設定入力手段と、初期設定入力手段によって入力された初期設定を記憶する初期設定記憶手段とを有する通信カラオケ端末装置と、通信回線を通じて該通信カラオケ端末装置と接続されるホストコンピュータとを備える通信カラオケシステムにであって、（１）ホストコンピュータが、通信カラオケ端末装置がアクセスした時に、通信カラオケ装置の電話番号を読み取る電話番号読取手段と、電話番号読取手段が読み取った電話番号を通信カラオケ端末装置に送信する電話番号送信手段とを有し、（２）通信カラオケ端末装置が、ホストコンピュータに通信回線を通じて以前接続されたときの電話番号を記憶する電話番号記憶手段と、電話番号記憶手段が記憶する電話番号とホストコンピュータの電話番号送信手段により送信された電話番号とを比較する比較手段と、初期設定入力手段によって使用者に初期設定の入力を促すインストールモードプログラムとを有し、（３）比較手段が、通信カラオケ端末装置の電話番号記憶手段が記憶する電話番号と、ホストコンピュータの電話番号送信手段により送信された電話番号とが異なると判断した時に、通信カラオケ端末装置が、インストールモードプログラムを実行する。
【０００７】
また、本発明の通信カラオケ端末装置は、ホストコンピュータとの接続条件を設定する初期設定を入力する初期設定入力手段と、初期設定入力手段によって入力された初期設定を記憶する初期設定記憶手段と、通信回線を通じてホストコンピュータと接続される送受信手段とを備える通信カラオケ端末装置であって、ホストコンピュータに通信回線を通じて以前接続されたときの電話番号を記憶する電話番号記憶手段と、通信カラオケ端末装置が通信回線を通じてホストコンピュータにアクセスした時にホストコンピュータが通信カラオケ装置の電話番号を読み取り、その読み取った電話番号を通信回線を通じて該通信カラオケ端末装置に送り返した時に、その電話番号を受信して記憶する受信記憶手段と、電話番号記憶手段が記憶する電話番号と、受信記憶手段が受信した電話番号とを比較する比較手段と、初期設定入力手段によって使用者に初期設定の入力を促すインストールモードプログラムと、を有し、比較手段が、電話番号記憶手段が記憶する電話番号と、受信記憶手段が受信した電話番号とが異なると判断した時に、インストールモードプログラムを実行する。
【０００８】
上記構成を有する通信カラオケシステムは、次のように作用する。
すなわち、通信カラオケ端末装置が売却された場合、新しい所有者は、自らのカラオケボックス等に通信カラオケ端末装置を設置し、ホストコンピュータと接続させる。このとき、ホストコンピュータは、通信カラオケ端末装置の電話番号を読み取る。ホストコンピュータの電話番号記憶手段は、既存の通信カラオケ端末装置の電話番号をすべて記憶している。
ここで、通信カラオケ端末装置が、電話番号記憶手段が該通信カラオケ端末装置の電話番号として記憶している電話番号とは異なる電話番号で、ホストコンピュータにアクセスした時は、ホストコンピュータは、通信カラオケ端末装置をインストールモードにして、使用者に強制的に初期設定を行わせる。
一方、通信カラオケ端末装置からホストコンピュータに送信が行われた時に、ホストコンピュータが通信カラオケ端末装置の電話番号を読み取り、その電話番号を通信カラオケ端末装置に送信する。通信カラオケ端末装置が前回までの電話番号を記憶していて、その記憶している電話番号と、ホストコンピュータから受信した電話番号が異なる場合に、インストールモードにして、使用者に初期設定を行わせる。
【０００９】
【発明の実施の形態】
以下、本発明を具体化した一実施の形態である通信カラオケシステムを図面を参照して詳細に説明する。
図１に通信カラオケシステムの構成をブロック図で示す。ホストコンピュータ１３と通信カラオケ端末装置１１とが、ビデオテックス通信網１２により接続されている。
ホストコンピュータ１３は、中央演算装置１６、通信カラオケ端末装置１１の電話番号等を記憶する記憶装置１４、表示手段であるＣＲＴ１７、入力装置１５、ビデオテックス通信網１２と接続されて通信を制御する通信制御装置１８により構成されている。
【００１０】
通信カラオケ端末装置１１は、通信カラオケ端末装置１１全体を制御するための中央制御装置２１、初期設定記憶手段である記憶装置２２、初期設定入力手段であるキー入力装置２５、カラオケ楽曲を再生するための音声再生装置２０、マイク２７から入力される音声と音声再生装置２０で再生されるカラオケ楽曲をミキシングするためのミキサーアンプ２３、テレビモニター２８に映される画面を制御するための画面表示制御装置２４、及びビデオテックス通信網１２と接続されて通信を制御する通信制御装置１９から構成されている。
また、通信カラオケ端末装置１１には、カラオケ映像及び歌詞を表示するためのテレビモニター２８、カラオケ使用者が歌うためのマイク２７、及びミキサーアンプ２３によりミキシングされた音を出力するためのスピーカー２６が接続されている。
【００１１】
次に、上記構成を有する通信カラオケシステムの作用を、図２に示すフローチャートに基づいて説明する。
ホストコンピュータ１３は、通信制御装置１８によりビデオテックス通信網１２に接続する（Ｓ１）。次に、ホストコンピュータ１３は、ビデオテックス通信網１２から通信カラオケ端末装置１１が使用している電話番号を受信する（Ｓ２）。次に、ホストコンピュータ１３は、記憶装置１４に記憶されている通信カラオケ端末装置１１が以前接続したときの電話番号を照会する（Ｓ３）。
そして、受信した電話番号と記憶装置１４に記憶していた電話番号が同じか否かを判断する（Ｓ４）。同じ場合は（Ｓ４；ＹＥＳ）、そのまま通信カラオケ端末装置１１を起動する（Ｓ９）。
【００１２】
同じでない場合は（Ｓ４；ＮＯ）、通信カラオケ端末装置１１にインストールモードプログラムを実行させる（Ｓ５）。インストールモードプログラムは、現在の所有者の初期設定条件の入力を要求する。
初期設定条件とは、センターと呼ばれるホストコンピュータ１３との接続を行うとき必要な設定、例えば、通信カラオケ端末装置１１の所有者のＩＤ、該所有者に最も近いアクセスポイントの電話番号、通信カラオケ端末装置の付加機能設定、例えば、ゲームやＣＡＴＶ視聴テレビ放送受信を行うか否かの選択、曲データ通信を自動で行うか否かの選択等である。
インストールモードプログラムは、周知のプログラムであるので詳細な説明は省略するが、初期設定の諸条件を順次、画面表示制御装置２４に表示して使用者に希望する条件を選択させるプログラムである。
入力された初期設定データは、初期設定記憶手段である記憶装置２２に記憶され、必要に応じてホストコンピュータ１３がビデオテックス通信網１２を介して読み出しを行う。
【００１３】
所有者は、インストールモードプログラムの要求に従って、キー入力装置２５から入力する（Ｓ６）。キー入力装置２５は、専用のキーボードでも良いが、通信カラオケ端末装置１１は、一般的にカラオケ演奏のための諸条件を入力するためのキー入力装置を有しているので、それを使用するとコストダウンできる。入力された初期設定データは、初期設定記憶手段である記憶装置２２に記憶される。
初期設定入力が終了すると（Ｓ７；ＹＥＳ）、ホストコンピュータ１３は、初期設定を記憶装置１４に記憶する（Ｓ８）。そして、通信カラオケ端末装置１１をインストールモードプログラムから抜け出させて、通常のカラオケ動作モードへ移行させる（Ｓ９）。
【００１４】
以上詳細に説明したように、本実施の形態の通信カラオケシステムによれば、初期設定記憶手段である記憶装置２２と、初期設定を入力する初期設定入力手段であるキー入力装置２５と、初期設定を的確に入力するためのインストールモードプログラムとを有する通信カラオケ端末装置１１と、ビデオテックス通信網１２を通じて通信カラオケ端末装置１１と接続されるホストコンピュータ１３とを備えるシステムであって、ホストコンピュータ１３が通信カラオケ端末装置１１の電話番号を記憶する記憶装置１４を有し、通信カラオケ端末装置１１が、記憶装置１４が記憶する電話番号と異なる電話番号で、ホストコンピュータ１３にアクセスした時に、ホストコンピュータ１３が、通信カラオケ端末装置１１をインストールモードにして、使用者に初期設定を行わせるので、売却等により所有者が変更されたときは、ほとんど電話番号の変更が伴うため、必ず初期設定が行われ、新しい所有者が常に自己の意図通りに通信カラオケ端末装置１１を使用することができる。
カラオケボックスの経営者等は、技術的に素人が多いが、インストールモードプログラムを使用すれば、パソコンの使用に慣れていない人でも容易かつ確実に希望する条件を入力することができる。
【００１５】
次に、本発明の別の実施の形態を説明する。
概略は第一の実施の形態と同じなので異なる点のみ説明する。各通信カラオケ端末装置の電話番号をホストコンピュータに記憶させるのではなく、各通信カラオケ端末装置に記憶させている点、通信カラオケ端末装置から送信があった時に、ホストコンピュータが相手の電話番号を読み取り、その電話番号を通信カラオケ端末装置に送信する点、及び、通信カラオケ端末装置が、ホストコンピュータから受信した電話番号と、自身で記憶している電話番号が異なる場合に、電話番号が変更されたと判定して、使用者に初期設定を行わせる点である。
【００１６】
以上、本発明の一実施例について説明したが、本発明の通信カラオケシステムは、本実施の形態のものに限定される訳ではなく、その趣旨を逸脱しない範囲で様々な変更が可能である。
例えば、本実施の形態では、電話番号が変更されている場合には、常に使用者に初期設定をさせているが、電話番号が変更されている場合でも、初期設定を行わないことを使用者に選択させても良い。同じ使用者であって、電話番号だけが変更される場合が考えられるからである。
また、本実施の形態では、通信回線としてビデオテックス通信網１２を使用しているが、他の通信回線を使用しても同様である。
【００１７】
【発明の効果】
本発明の通信カラオケシステムによれば、ホストコンピュータとの接続条件を設定する初期設定を入力する初期設定入力手段と、初期設定入力手段によって入力された初期設定を記憶する初期設定記憶手段とを有する通信カラオケ端末装置と、通信回線を通じて通信カラオケ端末装置と接続されるホストコンピュータとを備えるシステムであって、ホストコンピュータが、通信回線を通じて以前接続された通信カラオケ端末装置の電話番号を記憶する電話番号記憶手段と、該電話番号記憶手段に記憶された電話番号と通信回線を通じて接続された通信カラオケ端末装置の電話番号とを比較する比較手段とを有し、通信カラオケ端末装置が、初期設定入力手段によって使用者に初期設定の入力を促すインストールモードプログラムを有し、比較手段が通信回線を通じて接続された通信カラオケ端末装置の電話番号と電話番号記憶手段が記憶する通信カラオケ端末装置の電話番号とが異なると判断したときに、ホストコンピュータが通信カラオケ端末装置にインストールモードプログラムを実行させるので、売却等により所有者が変更されたときは、ほとんど電話番号の変更が伴うため、必ず初期設定が行われ、新しい所有者が常に自己の意図通りに通信カラオケ端末装置を使用することができる。
【図面の簡単な説明】
【図１】本発明の一実施の形態である通信カラオケシステムの構成を示すブロック図である。
【図２】通信カラオケシステムの作用を示すフローチャートである。
【符号の説明】
１１  通信カラオケ端末装置
１２  ビデオテックス通信網
１３  ホストコンピュータ
１４  記憶装置
２２  記憶装置
２５  キー入力装置
【図１】
0003569368.tif 000002
【図２】
0003569368.tif 000003